(57)【要約】【課題】電気コネクタを覆う導電性カバーの形状と本体の形状を改善し、プラグコネクタとの無駄な接触がなく、コネクタの規格に適するうえ、導電性カバーと接触して接地機能を果たすことが可能な改善された電気コネクタの提供。【解決手段】挿入口を有する第１面、及び前記第１面の反対側の第２面を備える本体を含み、一定に規格化された数のコンタクトを備える電気コネクタにおいて、前記本体に固定されて一端が前記第２面の外側に突出し、接触部としての他端は第１面側を向かって水平に位置する中央ターミナルコンタクトと、前記中央ターミナルコンタクトを水平に固定させ、前記第１面の方向に突出した前記中央ターミナルコンタクトから離れて向かい合うように上下に位置する上側ガイド面と下側ガイド面を備える本体と、前記本体の外部を覆う導電性カバーとを含んでなり、前記導電性カバーには、接触ガイダーが前記本体の在る内側に折り曲げられて突設されることを特徴とする。【選択図】図３
2007087910.tif 000002
【特許請求の範囲】
【請求項１】
挿入口を有する第１面、及び前記第１面の反対側の第２面を備える本体を含み、一定に規格化された個数のコンタクトを備える電気コネクタにおいて、前記本体に固定されて一端が前記第２面の外側に突出し、接触部としての他端は第１面側を向かって水平に位置する中央ターミナルコンタクトと、前記中央ターミナルコンタクトを水平に固定させ、前記第１面の方向に突出した前記中央ターミナルコンタクトから離れて向かい合うように上下に位置する上側ガイド面と下側ガイド面を備える本体と、前記本体の外部を覆う導電性カバーとを含み、前記導電性カバーには、接触ガイダーが前記本体の在る内側に折り曲げられて突設されることを特徴とする電気コネクタ。
【請求項２】
前記接触ガイダーは、前記導電性カバーの端部から垂直に突出した細長いターミナルの形であることを特徴とする、請求項１に記載の電気コネクタ。
【請求項３】
前記接触ガイダーは、第２面側に突出して前記本体の方に折り曲げられ、前記接触ガイダーの端部は、前記中央ターミナルコンタクトと接触することを特徴とする、請求項１に記載の電気コネクタ。
【請求項４】
一列に配列された前記中央ターミナルコンタクトのうち両端に位置する中央ターミナルコンタクトは、前記本体に固定されて一端が前記第２面の外側に突出し、他端は他の中央ターミナルコンタクトと比較して前記第１面側に少し突出している、あるいは全く突出しない接地コンタクトであり、前記接触ガイダーは、第２面側に突出して前記本体の方に折り曲げられ、その端部が前記中央ターミナルコンタクトの前記接地コンタクトと接触することを特徴とする、請求項１に記載の電気コネクタ。
【請求項５】
前記本体の前記上側ガイド面と前記下側ガイド面のいずれか一方には、前記第１面と前記第２面を向かって設けられた細長い溝を有し、前記本体と前記導電性カバーとが結合するとき、前記導電性カバーの前記接触ガイダーは前記溝に挿入されることを特徴とする、請求項１に記載の電気コネクタ。
【請求項６】
前記本体の前記上側ガイド面と前記下側ガイド面のいずれか一方には、前記第１面と前記第２面を向かって設けられた細長い溝を有し、前記溝の内側には水平方向に所定の長さだけ延長された形状の定着部が設けられ、前記定着部に前記中央ターミナルコンタクトが挿入されて固定され、前記本体と前記導電性カバーとが結合するとき、前記導電性カバーの前記接触ガイダーが前記溝に挿入されながら、前記定着部に嵌め込まれた前記中央ターミナルコンタクトと接触することを特徴とする、請求項１に記載の電気コネクタ。
【発明の詳細な説明】
【技術分野】
【０００１】
本発明は、フレキシブルケーブルまたは基板をプリント回路基板に接続するのに使用される電気コネクタに係り、より詳しくは、電磁気的信号の伝達に使用される電気コネクタの改善された構造に関する。
【背景技術】
【０００２】
プラグコネクタとソケットコネクタは、相互結合して電磁気的信号のやり取りを行うが、この際、ソケットコネクタには中央ターミナルコンタクトが一列に並んで結合している。ソケットコネクタは、接地機能をするコンタクトと、電気信号を伝達する機能をするコンタクトとを備えるが、従来では、これら２種のコンタクトが向かい合うように構成されている電気コネクタを主に使用した。
【０００３】
このような従来の電気コネクタでは、前記２種のコンタクトが上下一列に向かい合うように構成されていたが、この構成は、接地のためのコンタクトを別途に多数製造しなければならないうえ、内部に一列に配置しなければならないという製造上の煩わしさがあった。また、この従来の電気コネクタは、多数の接地用コンタクトを備えなければならないが、これは、製造コストを上昇させる要因となるので、接地用コンタクトの形状を単純化し、あるいは接地用コンタクトの代わりに、より小さくて簡便に接地の役割を果たせる構成を採用する必要性があった。
【０００４】
このような接地用コンタクトを改善するための技術が、本出願人によって開発されて韓国登録実用新案第３５８３２１号（特許文献１）で登録されたが、その特徴は、次の通りである。特許文献１に開示された電気コネクタは、外部が金属材の導電性カバーで覆われ、従来とは異なり、接地用コンタクトは両端にのみ位置し、それらの中間には一般コンタクトが一列に配置される。接地用コンタクトは、導電性カバー側に、上方に、折り曲げられるようにして導電性カバーと接触せしめる。
【０００５】
このような改善された電気コネクタの場合も、上側導電性カバーに接触せしめるための形状の接地用コンタクトを、一般コンタクトとは異なり、別途に上方に折り曲げて製作しなければならないという煩わしさがある。これを改善するための技術が本出願人によって開発され、韓国特許出願第２００４−１１１２２３号で出願され、韓国登録実用新案第４８６９９０号（特許文献２）で特許登録されたが、この特許文献２に開示された技術の特徴は次のとおりである。
【０００６】
前記特許文献２の技術は、接地用コンタクトの形状を単純化するために、端部がより短くなるように構成する以外は他のコンタクトと殆ど同様にすることにより、ノートブックコンピュータなどの携帯用機器で勧奨するＬＣＤ寸法（Ｄｉｍｅｎｓｉｏｎ）、インターフェース標準案（ＩＳＰ：Ｉｎｄｕｓｔｒｉａｌ  Ｓｔａｎｄａｒｄ  Ｐａｎｅｌｓ）のコネクタ規格を保ちながらプラグコネクタとの無駄な接触も無くし、それによる摩擦または誤作動の可能性を減少させる効果を持たせるためのものであった。
【０００７】
このような従来の技術は、その固有の特徴があるが、簡単な接地用コンタクトの構成を保ちながらも、導電性カバーとの接触によって接地機能を行えるようにする技術についての要求があったので、本発明では、前述した従来の技術に比べてより進歩したコネクタの構成を提供する。
【特許文献１】韓国登録実用新案  第３５８３２１号明細書
【特許文献２】韓国登録実用新案  第４８６９９０号明細書
【発明の開示】
【発明が解決しようとする課題】
【０００８】
そこで、本発明は、電気コネクタを覆う導電性カバーおよび本体の形状を改善して、プラグコネクタとの無駄な接触がなく、コネクタの規格に適し、導電性カバーと接触して接地機能を行うことが可能な、改善された電気コネクタを提供することを目的とする。
【０００９】
また、本発明は、改善された形状の導電性カバーと、これに組込む本体とが相互に簡便且つ円滑に結合可能な改善された電気コンタクトを提供することを目的とする。
【課題を解決するための手段】
【００１０】
上記課題を解決するための本発明の構成は、挿入口を有する第１面、及び前記第１面の反対側の第２面を備える本体を含み、一定に規格化された数のコンタクトを備える電気コネクタにおいて、前記本体に固定されて一端が前記第２面の外側に突出し、接触部としての他端は、第１面側に向かって水平に位置する中央ターミナルコンタクトと、前記中央ターミナルコンタクトを水平に固定させ、前記第１面の方向に突出した前記中央ターミナルコンタクトから離れて向かい合うように上下に位置する上側ガイド面と下側ガイド面を備える本体と、前記本体の外部を覆う導電性カバーとを含んでなり、前記導電性カバーには、接触ガイダーが前記本体の在る内側に折り曲げられて突設されることを特徴とする。
【００１１】
また、前記接触ガイダーは、前記導電性カバーの端部から垂直に突出した細長いターミナルの形であることを特徴とする。
【００１２】
また、前記接触ガイダーは、第２面側に突出して前記本体の方に折り曲げられ、前記接触ガイダーの端部は、前記中央ターミナルコンタクトと接触することを特徴とする。
【００１３】
また、一列に配列された前記中央ターミナルコンタクトのうち両端に位置する中央ターミナルコンタクトは、前記本体に固定されて一端が前記第２面の外側に突出し、他端は他の中央ターミナルコンタクトと比較して前記第１面側に少し突出する、あるいは全く突出しない接地コンタクトであり、前記接触ガイダーは、第２面側に突出して前記本体の方に折り曲げられ、その端部が前記中央ターミナルコンタクトの前記接地コンタクトと接触することを特徴とする。
【００１４】
また、前記本体の前記上側ガイド面と前記下側ガイド面のいずれか一方には、前記第１面と前記第２面を向かって設けられた細長い溝を有し、前記本体と前記導電性カバーとが結合するとき、前記導電性カバーの前記接触ガイダーは前記溝の位置に挿入されることを特徴とする。
【００１５】
また、前記本体の前記上側ガイド面と前記下側ガイド面のいずれか一方には、前記第１面と前記第２面を向かって設けられた細長い溝を有し、前記溝の内側には水平方向に所定の長さだけ延長された形状の定着部が設けられ、前記定着部に前記中央ターミナルコンタクトが挿入されて固定され、前記本体と前記導電性カバーとが結合するとき、前記導電性カバーの前記接触ガイダーが前記溝の位置に挿入されながら、前記定着部に嵌め込まれた前記中央ターミナルコンタクトと接触することを特徴とする。
【発明の効果】
【００１６】
本発明は、導電性カバーに接地ガイドを備えてこれを接地コンタクトに接触させることにより、簡単な形状のみで、プラグコネクタとの無駄な接触がなく、コネクタの規格に適するうえ、接地機能を行うことができるようにする効果を持つ。
【００１７】
また、本発明は、改善された形状の導電性カバーと、これに組み込む本体とが相互に簡便且つ円滑に結合できるようにする効果を持つ。
【発明を実施するための最良の形態】
【００１８】
以下に添付図面を参照しながら、本発明の好適な実施例の構成を詳しく説明する。
【００１９】
図１は本発明の電気コネクタの外観を示す斜視図、図２は本発明の導電性カバーを示す斜視図である。図１および図２を参照すると、コネクタは、中央ターミナルコンタクト３０が組み込まれている本体１０と、本体１０を覆う導電性カバー２０とを含んでなる。本体１０の第２面１２側には中央ターミナルコンタクト３０の実装部が露出しており、第２面１２の反対側は別途のプラグコネクタ（図示せず）が挿入可能に出来ている。本体１０は合成樹脂材質でモールド成形される。
【００２０】
導電性カバー２０は、アルミニウムなどの金属材質から成り、上面２１と下面２２には本体１０との結合のために多数の係合突起２３を備える。係合突起２３は、導電性カバー２０が本体１０を取り囲む形で導電性カバー２０と本体１０とが結合するように、本体１０の溝（図示せず）に挿入される。導電性カバー２０には、両側方に下方に折り曲げられて突出する２つの接触ガイダー２４が設けられている。この接触ガイダーは、導電性カバー２０と一体になっており、細長い棒状をしている。
【００２１】
図３は本発明の導電性カバーの接触ガイダーとその周辺部分を拡大して示す斜視図、図４は本発明の電気コネクタの第２面を示す正面図である。図３を参照すると、下方に折り曲げられた接触ガイダー２４は、アルミニウムなどの導電性金属材質なので、前後方向に撓んだり弾性をもって動いたりすることができる。接触ガイダー２４は、上面２１と下面２２との間の１／２程度の位置まで延びている。図４を参照すると、両端に設けられている接触ガイダー２４は、本体１０の上側ガイダー面１３と下側ガイダー面１４との間に一列に並んでいる中央ターミナルコンタクト３０のうち、端部に位置するいずれか一つの中央ターミナルコンタクトと接触している。次に、このような接触状態について図５を参照してより詳しく説明する。
【００２２】
図５ａおよび図５ｂは本発明の電気コネクタの側方断面構造を示す断面図であって、図５ａは図４のＡ−Ａ線に沿った断面図、図５ｂは図４のＢ−Ｂ線に沿った断面図である。図５ａを参照すると、中央ターミナルコンタクト３０は、本体１０に中間部分が結合して水平に位置し、第１面１１側から挿入されるプラグコネクタ（図示せず）と接触する。図５ｂを参照すると、接触ガイダー２４は、導電性カバー２０から一体に延設されるが、下方に折り曲げられ、その端部が接地コンタクト３２（または中央ターミナルコンタクト）の結合位置までくる。このような接触ガイダー２４が位置する部分の本体１０の形状を拡大して考察すると、次のとおりである。
【００２３】
図６は本発明の本体の一部分を拡大して示す斜視図であって、合成樹脂材質の本体１０に中央ターミナルコンタクト３０および導電性カバー２０が結合する前の形状を拡大して示すものである。図６を参照すると、本体の端部側には、垂直方向に第１面１１と第２面１２とを貫通する溝１６が設けられている。具体的には、溝１６は、上側ガイド面１３に設けられ、一定の深さに第２面１２側に定着部１７が設けられる。定着部１７は、水平方向に所定の長さだけ延長された溝の形状であり、その内部にコンタクトが嵌め込まれて固定できるようにする機能を有する。溝１６は、上方に開放されており、下方には定着部１７と連通している。定着部１７にはコンタクトが結合し、このコンタクトは導電性カバー２０から延設される接触ガイダー２４と接触する。
【００２４】
図７ａおよび図７ｂは本発明の本体に接地コンタクトが結合している状態を示すもので、図７ａは透視図、図７ｂは側断面図である。図７ａを参照すると、接地コンタクト３２の一端部が定着部１７に結合しており、第２面１２の方向に他端部が長く延びている。接地コンタクト３２は、第１面１１の方向には長く延びていないため、無駄な接触または摩擦は発生しない。接地コンタクト３２は、溝１６を介して一部分が上方に露出する。
【００２５】
図７ｂは図７ａのＣ−Ｃ線に沿った断面図であって、接触ガイダー２４と接地コンタクト３２との接触を説明するためのものである。図７ｂを参照すると、導電性カバー２０から下方に延設された接触ガイダー２４は、上方開放の溝１６に沿って第１面１１（図面上左側）側から挿入されて移動し、最終位置では接触ガイダー２４の下端部が接地コンタクト３２の開放された部分Ｄに接触する。すなわち、接触ガイダー２４は、下方にやや長く、その端部が少し内側に撓みながら接地コンタクト３２を加圧しながら接触コンタクトと接触するようにする。
【００２６】
上述した本発明の構成によって、接地コンタクトを、他の中央ターミナルコンタクトと大差のない形状に構成しながらも、導電性カバーと接触して接地機能を果たすことができるようにする。また、本発明によれば、導電性カバーを本体と結合させる時にも、溝を介して、特別な操作、変形をすることなく一度に結合可能である。また、本発明は、導電性カバーの接触ガイダーが接地コンタクトの上方から下方に延びている状態で垂直に接触するので、プラグコネクタが挿入される方向に突出する別途の接触部を必要とせず、これによりプラグコネクタとの無駄な接触を予防することができる。これと同時に、第２面に突出する実装部はコネクタの規格において要求される形状通りに３２個を一列に配列することができるため、一挙両得の効果を得る。
【図面の簡単な説明】
【００２７】
【図１】本発明の電気コネクタの外観を示す斜視図。
【図２】本発明の導電性カバーを示す斜視図。
【図３】本発明の導電性カバーの接触ガイダーとその周辺部分を拡大して示す斜視図。
【図４】本発明の電気コネクタの第２面を示す正面図。
【図５ａ】図４のＡ−Ａ線に沿った断面図。
【図５ｂ】図４のＢ−Ｂ線に沿った断面図。
【図６】本発明の本体の一部分を拡大して示す斜視図。
【図７ａ】本発明の本体に接地コンタクトが結合した状態を示す透視図。
【図７ｂ】本発明の本体に接地コンタクトが結合した状態を示す側断面図。
【符号の説明】
【００２８】
１０    本体
１１    第１面
１２    第２面
１３    上側ガイド面
１４    下側ガイド面
１６    溝
１７    定着部
２０    導電性カバー
２１    上面
２２    下面
２３    結合突起
２４    接触ガイダー
３０    中央ターミナルコンタクト
３２    接地コンタクト
【図４】
2007087910.tif 000003
【図５ａ】
2007087910.tif 000004
【図１】
2007087910.tif 000005
【図２】
2007087910.tif 000006
【図３】
2007087910.tif 000007
【図５ｂ】
2007087910.tif 000008
【図６】
2007087910.tif 000009
【図７ａ】
2007087910.tif 000010
【図７ｂ】
2007087910.tif 000011